(57)【要約】【課題】  画像が出力された後でログ画像の生成の終了前に電源断が発生した場合であっても、電源の回復後にログ画像を生成することができる画像出力装置を提供する。【解決手段】  画像を出力するプリンターと、電源断の場合であっても情報を保持する記憶部と、プリンターによって出力される画像である出力画像の元になる画像である元画像を記憶部上に生成する元画像生成手段と、出力画像のログとしてのログ画像を元画像に基づいて生成するログ画像生成手段とを備えているＭＦＰのログ画像生成手段は、ＭＦＰが起動された場合に、記憶部に元画像が記憶されているとき（Ｓ１６１でＹＥＳ）、記憶部に記憶されている元画像に基づいてログ画像を生成する（Ｓ１６２）ことを特徴とする。【選択図】  図６
2014110524.tif 000002
【特許請求の範囲】
【請求項１】
画像を出力する画像出力部と、電源断の場合であっても情報を保持する不揮発性記憶部と、前記画像出力部によって出力される画像である出力画像の元になる画像である元画像を前記不揮発性記憶部上に生成する元画像生成手段と、前記出力画像のログとしてのログ画像を前記元画像に基づいて生成するログ画像生成手段とを備えている画像出力装置であって、
前記ログ画像生成手段は、前記画像出力装置が起動された場合に、前記不揮発性記憶部に前記元画像が記憶されているとき、前記不揮発性記憶部に記憶されている前記元画像に基づいて前記ログ画像を生成することを特徴とする画像出力装置。
【請求項２】
前記元画像生成手段によって生成された前記元画像のページのうち前記画像出力部によって前記出力画像が出力されたページである出力済ページの数である出力済ページ数を前記不揮発性記憶部に書き込む出力済ページ数書込手段を備えており、
前記ログ画像生成手段は、前記画像出力装置が起動された場合に、前記不揮発性記憶部に前記元画像が記憶されているとき、前記不揮発性記憶部に記憶されている前記元画像のうち、前記不揮発性記憶部に記憶されている前記出力済ページ数に応じた前記出力済ページの元画像に基づいて、前記ログ画像を生成することを特徴とする請求項１に記載の画像出力装置。
【請求項３】
前記元画像生成手段によって生成された前記元画像のページのうち前記ログ画像生成手段によって前記ログ画像が生成されたページであるログ済ページの数であるログ済ページ数を前記不揮発性記憶部に書き込むログ済ページ数書込手段を備えており、
前記ログ画像生成手段は、前記画像出力装置が起動された場合に、前記不揮発性記憶部に前記元画像が記憶されているとき、前記不揮発性記憶部に記憶されている前記元画像のうち、前記不揮発性記憶部に記憶されている前記出力済ページ数に応じた前記出力済ページから、前記不揮発性記憶部に記憶されている前記ログ済ページ数に応じた前記ログ済ページを除いたページの元画像に基づいて、前記ログ画像を生成することを特徴とする請求項２に記載の画像出力装置。
【請求項４】
請求項１から請求項３までの何れかに記載の画像出力装置と、前記ログ画像を記憶するログ画像記憶装置を備えているログ画像記憶サーバーとを備えており、
前記画像出力装置は、前記ログ画像生成手段によって生成された前記ログ画像を前記ログ画像記憶サーバーに送信するログ画像送信手段を備えており、
前記ログ画像記憶サーバーは、前記画像出力装置から送信されてきた前記ログ画像を前記ログ画像記憶装置に書き込むログ画像書込手段を備えていることを特徴とする画像出力システム。
【請求項５】
画像を出力する画像出力部と、電源断の場合であっても情報を保持する不揮発性記憶部とを備えている画像出力装置によって実行される画像出力プログラムであって、
前記画像出力部によって出力される画像である出力画像の元になる画像である元画像を前記不揮発性記憶部上に生成する元画像生成手段、および、前記出力画像のログとしてのログ画像を前記元画像に基づいて生成するログ画像生成手段として、前記画像出力装置を機能させ、
前記ログ画像生成手段は、前記画像出力装置が起動された場合に、前記不揮発性記憶部に前記元画像が記憶されているとき、前記不揮発性記憶部に記憶されている前記元画像に基づいて前記ログ画像を生成することを特徴とする画像出力プログラム。
【発明の詳細な説明】
【技術分野】
【０００１】
本発明は、出力した画像のログとしてのログ画像を生成する画像出力装置、画像出力システムおよび画像出力プログラムに関する。
【背景技術】
【０００２】
従来の画像出力装置として、画像を印字出力する印字部と、情報を保持することができるハードディスクと、印字部によって印字出力される画像の元になる画像を生成する画像読み取り部と、印字部によって印字出力された画像のログとしてのログファイルをハードディスク上に作成するログ作成手段とを備えているものが知られている（特許文献１参照。）。
【先行技術文献】
【特許文献】
【０００３】
【特許文献１】特開２００６−３０３５６３号公報
【発明の概要】
【発明が解決しようとする課題】
【０００４】
しかしながら、従来の画像出力装置においては、印字部によって画像が印字出力された後でログファイルの作成の終了前に電源断が発生した場合に、ログ作成手段によってログファイルが作成されない可能性がある。ログ作成手段によってログファイルが作成されないことは、ログファイルのログとしての性質上、問題である。
【０００５】
そこで、本発明は、画像が出力された後でログ画像の生成の終了前に電源断が発生した場合であっても、電源の回復後にログ画像を生成することができる画像出力装置を提供することを目的とする。
【課題を解決するための手段】
【０００６】
本発明の画像出力装置は、画像を出力する画像出力部と、電源断の場合であっても情報を保持する不揮発性記憶部と、前記画像出力部によって出力される画像である出力画像の元になる画像である元画像を前記不揮発性記憶部上に生成する元画像生成手段と、前記出力画像のログとしてのログ画像を前記元画像に基づいて生成するログ画像生成手段とを備えている画像出力装置であって、前記ログ画像生成手段は、前記画像出力装置が起動された場合に、前記不揮発性記憶部に前記元画像が記憶されているとき、前記不揮発性記憶部に記憶されている前記元画像に基づいて前記ログ画像を生成することを特徴とする。
【０００７】
この構成により、本発明の画像出力装置は、起動された場合に、不揮発性記憶部に出力画像の元画像が記憶されているとき、不揮発性記憶部に記憶されている元画像に基づいてログ画像を生成するので、画像が出力された後でログ画像の生成の終了前に電源断が発生した場合であっても、電源の回復後にログ画像を生成することができる。
【０００８】
また、本発明の画像出力装置は、前記元画像生成手段によって生成された前記元画像のページのうち前記画像出力部によって前記出力画像が出力されたページである出力済ページの数である出力済ページ数を前記不揮発性記憶部に書き込む出力済ページ数書込手段を備えており、前記ログ画像生成手段は、前記画像出力装置が起動された場合に、前記不揮発性記憶部に前記元画像が記憶されているとき、前記不揮発性記憶部に記憶されている前記元画像のうち、前記不揮発性記憶部に記憶されている前記出力済ページ数に応じた前記出力済ページの元画像に基づいて、前記ログ画像を生成しても良い。
【０００９】
この構成により、本発明の画像出力装置は、起動された場合に、不揮発性記憶部に出力画像の元画像が記憶されているとき、出力画像の元画像のうち出力済ページの元画像に基づいてログ画像を生成するので、出力画像の元画像のうち出力済ページ以外のページも含めた元画像に基づいてログ画像を生成する構成と比較して、実際の出力画像と、ログ画像との整合性を向上することができる。
【００１０】
また、本発明の画像出力装置は、前記元画像生成手段によって生成された前記元画像のページのうち前記ログ画像生成手段によって前記ログ画像が生成されたページであるログ済ページの数であるログ済ページ数を前記不揮発性記憶部に書き込むログ済ページ数書込手段を備えており、前記ログ画像生成手段は、前記画像出力装置が起動された場合に、前記不揮発性記憶部に前記元画像が記憶されているとき、前記不揮発性記憶部に記憶されている前記元画像のうち、前記不揮発性記憶部に記憶されている前記出力済ページ数に応じた前記出力済ページから、前記不揮発性記憶部に記憶されている前記ログ済ページ数に応じた前記ログ済ページを除いたページの元画像に基づいて、前記ログ画像を生成しても良い。
【００１１】
この構成により、本発明の画像出力装置は、起動された場合に、不揮発性記憶部に出力画像の元画像が記憶されているとき、出力画像の元画像のうち出力済ページからログ済ページを除いたページの元画像に基づいて必要なログ画像のみを生成するので、出力画像の元画像のうちログ済ページも含めた元画像に基づいてログ画像を生成する構成と比較して、ログ画像の生成の処理の負担を軽減することができる。
【００１２】
本発明の画像出力システムは、上述の画像出力装置と、前記ログ画像を記憶するログ画像記憶装置を備えているログ画像記憶サーバーとを備えており、前記画像出力装置は、前記ログ画像生成手段によって生成された前記ログ画像を前記ログ画像記憶サーバーに送信するログ画像送信手段を備えており、前記ログ画像記憶サーバーは、前記画像出力装置から送信されてきた前記ログ画像を前記ログ画像記憶装置に書き込むログ画像書込手段を備えていることを特徴とする。
【００１３】
この構成により、本発明の画像出力システムは、画像出力装置の電源の回復後に生成されたログ画像をログ画像記憶サーバーが画像出力装置から受信して記憶するので、画像出力装置の利用者の出力画像のログ画像を、ログ画像記憶サーバーを使用する管理者によって従来より正確に把握させることができる。
【００１４】
本発明の画像出力プログラムは、画像を出力する画像出力部と、電源断の場合であっても情報を保持する不揮発性記憶部とを備えている画像出力装置によって実行される画像出力プログラムであって、前記画像出力部によって出力される画像である出力画像の元になる画像である元画像を前記不揮発性記憶部上に生成する元画像生成手段、および、前記出力画像のログとしてのログ画像を前記元画像に基づいて生成するログ画像生成手段として、前記画像出力装置を機能させ、前記ログ画像生成手段は、前記画像出力装置が起動された場合に、前記不揮発性記憶部に前記元画像が記憶されているとき、前記不揮発性記憶部に記憶されている前記元画像に基づいて前記ログ画像を生成することを特徴とする。
【００１５】
この構成により、本発明の画像出力プログラムを実行する画像出力装置は、起動された場合に、不揮発性記憶部に出力画像の元画像が記憶されているとき、不揮発性記憶部に記憶されている元画像に基づいてログ画像を生成するので、画像が出力された後でログ画像の生成の終了前に電源断が発生した場合であっても、電源の回復後にログ画像を生成することができる。
【発明の効果】
【００１６】
本発明の画像出力装置は、画像が出力された後でログ画像の生成の終了前に電源断が発生した場合であっても、電源の回復後にログ画像を生成することができる。
【図面の簡単な説明】
【００１７】
【図１】本発明の一実施の形態に係る画像出力システムのブロック図である。
【図２】図１に示すＭＦＰのブロック図である。
【図３】図１に示すログ画像記憶サーバーのブロック図である。
【図４】ログ生成モード情報として出力後生成モードが指定されている場合にコピーのジョブを実行するときの図２に示すＭＦＰの動作のフローチャートである。
【図５】ログ生成モード情報として出力中生成モードが指定されている場合にコピーのジョブを実行するときの図２に示すＭＦＰの動作のフローチャートである。
【図６】起動された場合の図２に示すＭＦＰの動作のフローチャートである。
【発明を実施するための形態】
【００１８】
以下、本発明の一実施の形態について、図面を用いて説明する。
【００１９】
まず、本実施の形態に係る画像出力システム１０の構成について説明する。
【００２０】
図１は、本実施の形態に係る画像出力システム１０のブロック図である。
【００２１】
図１に示すように、画像出力システム１０は、ＭＦＰ（Ｍｕｌｔｉｆｕｎｃｔｉｏｎ  Ｐｅｒｉｐｈｅｒａｌ）２０を含む多数のＭＦＰと、ＭＦＰによって出力される画像である出力画像のログとしてのログ画像を記憶するログ画像記憶サーバー３０と、ＭＦＰに印刷データを送信可能であるコンピューター４０を含む多数のコンピューターとを備えている。多数のＭＦＰと、ログ画像記憶サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。同様に、多数のＭＦＰと、コンピューターとは、ネットワーク１１を介して互いに通信可能に接続されている。なお、多数のＭＦＰは、それぞれ本発明の画像出力装置を構成している。
【００２２】
画像出力システム１０に含まれている多数のＭＦＰのそれぞれの構成は、ＭＦＰ２０の構成と同様である。したがって、以下においては、画像出力システム１０に含まれる多数のＭＦＰを代表してＭＦＰ２０について説明する。
【００２３】
また、画像出力システム１０に含まれている多数のコンピューターのそれぞれの構成は、コンピューター４０の構成と同様である。したがって、以下においては、画像出力システム１０に含まれる多数のコンピューターを代表してコンピューター４０について説明する。
【００２４】
図２は、ＭＦＰ２０のブロック図である。
【００２５】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部２７と、ＭＦＰ２０全体を制御する制御部２８とを備えている。
【００２６】
操作部２１は、表示部２２とともにタッチパネルを形成する入力デバイスを含んでいても良い。
【００２７】
プリンター２４は、画像を印刷によって出力する装置であり、本発明の画像出力部を構成している。
【００２８】
ファックス通信部２５は、画像をファックス送信によって出力する装置であり、本発明の画像出力部を構成している。
【００２９】
ネットワーク通信部２６は、画像を電子メールの送信などのネットワーク１１を介した電子的な送信によって出力する装置であり、本発明の画像出力部を構成している。
【００３０】
記憶部２７は、電源断の場合であっても情報を保持するデバイスであり、本発明の不揮発性記憶部を構成している。
【００３１】
記憶部２７は、ＭＦＰ２０によって実行される画像出力プログラム２７ａを記憶している。画像出力プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００３２】
また、記憶部２７は、プリンター２４、ファックス通信部２５またはネットワーク通信部２６によって出力される画像である出力画像の元になる画像である元画像２７ｂを複数記憶することが可能である。元画像２７ｂは、例えばＪＰＥＧ（Ｊｏｉｎｔ  Ｐｈｏｔｏｇｒａｐｈｉｃ  Ｅｘｐｅｒｔｓ  Ｇｒｏｕｐ）形式の画像である。
【００３３】
また、記憶部２７は、元画像２７ｂのページのうちプリンター２４、ファックス通信部２５またはネットワーク通信部２６によって出力されたページである出力済ページの数である出力済ページ数２７ｃを複数記憶することが可能である。出力済ページ数２７ｃは、対象の元画像２７ｂと関連付けられて記憶部２７に記憶される。
【００３４】
また、記憶部２７は、元画像２７ｂのページのうちログ画像が生成されたページであるログ済ページの数であるログ済ページ数２７ｄを複数記憶することが可能である。ログ済ページ数２７ｄは、対象の元画像２７ｂと関連付けられて記憶部２７に記憶される。
【００３５】
また、記憶部２７は、ログ画像の生成のモードを示すログ生成モード情報２７ｅを記憶することが可能である。ログ生成モード情報２７ｅとしては、画像の出力後にログ画像を生成するモードである出力後生成モードと、画像の出力中にログ画像を生成するモードである出力中生成モードとの何れかが指定されている。
【００３６】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行するようになっている。
【００３７】
制御部２８は、記憶部２７に記憶されている画像出力プログラム２７ａを実行することによって、元画像２７ｂを記憶部２７上に生成する元画像生成手段２８ａ、出力画像のログとしてのログ画像を元画像２７ｂに基づいて生成するログ画像生成手段２８ｂ、出力済ページ数２７ｃを記憶部２７に書き込む出力済ページ数書込手段２８ｃ、ログ済ページ数２７ｄを記憶部２７に書き込むログ済ページ数書込手段２８ｄ、ログ画像の生成のモードの指定を受け付けるログ生成モード受付手段２８ｅ、および、ログ画像生成手段２８ｂによって生成されたログ画像をログ画像記憶サーバー３０（図１参照。）に送信するログ画像送信手段２８ｆとして機能する。
【００３８】
ログ画像生成手段２８ｂによって生成されたログ画像は、例えばＰＤＦ（Ｐｏｒｔａｂｌｅ  Ｄｏｃｕｍｅｎｔ  Ｆｏｒｍａｔ）形式の画像である。
【００３９】
図３は、ログ画像記憶サーバー３０のブロック図である。
【００４０】
図３に示すように、ログ画像記憶サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤなどの不揮発性の記憶装置である記憶部３４と、ログ画像記憶サーバー３０全体を制御する制御部３５とを備えている。ログ画像記憶サーバー３０は、例えばＰＣ（Ｐｅｒｓｏｎａｌ  Ｃｏｍｐｕｔｅｒ）などのコンピューターによって構成されている。
【００４１】
記憶部３４は、ログ画像記憶サーバー３０用のプログラムであるサーバー用プログラム３４ａを記憶している。サーバー用プログラム３４ａは、ログ画像記憶サーバー３０の製造段階でログ画像記憶サーバー３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からログ画像記憶サーバー３０に追加でインストールされても良いし、ネットワーク１１上からログ画像記憶サーバー３０に追加でインストールされても良い。
【００４２】
記憶部３４は、ＭＦＰ２０から送信されてきたログ画像３４ｂを記憶することが可能である。すなわち、記憶部３４は、本発明のログ画像記憶装置を構成している。
【００４３】
制御部３５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３４に記憶されているプログラムを実行するようになっている。
【００４４】
制御部３５は、記憶部３４に記憶されているサーバー用プログラム３４ａを実行することによって、ＭＦＰ２０から送信されてきたログ画像３４ｂを記憶部３４に書き込むログ画像書込手段３５ａとして機能する。
【００４５】
図１に示すコンピューター４０は、例えばＰＣである。
【００４６】
次に、画像出力システム１０の動作について説明する。
【００４７】
まず、ログ画像の生成のモードの指定を受け付ける場合のＭＦＰ２０の動作について説明する。
【００４８】
ＭＦＰ２０の制御部２８のログ生成モード受付手段２８ｅは、ログ画像の生成のモードとして出力後生成モードおよび出力中生成モードの何れかが操作部２１を介して指定されると、指定されたモードを受け付けて、記憶部２７上のログ生成モード情報２７ｅに記憶させる。すなわち、ログ生成モード受付手段２８ｅは、出力後生成モードが指定された場合にログ生成モード情報２７ｅとして出力後生成モードを書き込み、出力中生成モードが指定された場合にログ生成モード情報２７ｅとして出力中生成モードを書き込む。
【００４９】
次に、ログ生成モード情報２７ｅとして出力後生成モードが指定されている場合にコピーのジョブを実行するときのＭＦＰ２０の動作について説明する。
【００５０】
図４は、ログ生成モード情報２７ｅとして出力後生成モードが指定されている場合にコピーのジョブを実行するときのＭＦＰ２０の動作のフローチャートである。
【００５１】
ＭＦＰ２０の制御部２８は、ログ生成モード情報２７ｅとして出力後生成モードが指定されている場合に操作部２１を介してコピーの指示を受けると、図４に示す動作を開始する。
【００５２】
図４に示すように、制御部２８の元画像生成手段２８ａは、スキャナー２３によって原稿から読み取られた画像に基づいて元画像２７ｂを記憶部２７上に生成することを開始する（Ｓ１０１）。ここで、元画像生成手段２８ａは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。
【００５３】
次いで、制御部２８は、Ｓ１０１において開始された動作によって記憶部２７上に生成された元画像２７ｂに基づいた出力画像をプリンター２４によって記録媒体に印刷することを開始する（Ｓ１０２）。
【００５４】
次いで、制御部２８は、１ページ分の印刷が終了したと判断するまで、１ページ分の印刷が終了したか否かを判断する（Ｓ１０３）。
【００５５】
制御部２８の出力済ページ数書込手段２８ｃは、１ページ分の印刷が終了したとＳ１０３において判断されると、記憶部２７上に記憶されているこのジョブの元画像２７ｂの出力済ページ数２７ｃを１増やす（Ｓ１０４）。
【００５６】
次いで、制御部２８は、Ｓ１０１において開始された動作によって記憶部２７上に生成された元画像２７ｂの全ページ分の印刷が終了したか否かを判断する（Ｓ１０５）。
【００５７】
制御部２８は、元画像２７ｂの全ページ分の印刷が終了していないとＳ１０５において判断すると、再びＳ１０３の処理に戻る。
【００５８】
一方、制御部２８のログ画像生成手段２８ｂは、元画像２７ｂの全ページ分の印刷が終了したとＳ１０５において判断されると、記憶部２７上のこの元画像２７ｂに基づいて、ログ画像の生成を開始する（Ｓ１０６）。ここで、ログ画像生成手段２８ｂは、生成したログ画像を、元画像２７ｂに関連付けられていた利用者のＩＤと同一のＩＤに関連付けて記憶部２７に書き込む。
【００５９】
次いで、制御部２８は、１ページ分のログ画像の生成が終了したと判断するまで、１ページ分のログ画像の生成が終了したか否かを判断する（Ｓ１０７）。
【００６０】
制御部２８のログ済ページ数書込手段２８ｄは、１ページ分のログ画像の生成が終了したとＳ１０７において判断されると、記憶部２７上に記憶されているこのジョブの元画像２７ｂのログ済ページ数２７ｄを１増やす（Ｓ１０８）。
【００６１】
次いで、制御部２８は、Ｓ１０１において開始された動作によって記憶部２７上に生成された元画像２７ｂの全ページ分のログ画像の生成が終了したか否かを判断する（Ｓ１０９）。
【００６２】
制御部２８は、元画像２７ｂの全ページ分のログ画像の生成が終了していないとＳ１０９において判断すると、再びＳ１０７の処理に戻る。
【００６３】
一方、制御部２８は、元画像２７ｂの全ページ分のログ画像の生成が終了したとＳ１０９において判断すると、このジョブの元画像２７ｂを記憶部２７上から削除して（Ｓ１１０）、図４に示す動作を終了する。
【００６４】
次に、ログ生成モード情報２７ｅとして出力中生成モードが指定されている場合にコピーのジョブを実行するときのＭＦＰ２０の動作について説明する。
【００６５】
図５は、ログ生成モード情報２７ｅとして出力中生成モードが指定されている場合にコピーのジョブを実行するときのＭＦＰ２０の動作のフローチャートである。
【００６６】
ＭＦＰ２０の制御部２８は、ログ生成モード情報２７ｅとして出力中生成モードが指定されている場合に操作部２１を介してコピーの指示を受けると、図５に示す動作を開始する。
【００６７】
図５に示すように、制御部２８の元画像生成手段２８ａは、スキャナー２３によって原稿から読み取られた画像に基づいて元画像２７ｂを記憶部２７上に生成することを開始する（Ｓ１３１）。ここで、元画像生成手段２８ａは、生成した元画像２７ｂを、この元画像２７ｂが生成された時点でＭＦＰ２０にログインしている利用者のＩＤ、すなわち、この元画像２７ｂの生成を指示した利用者のＩＤに関連付けて記憶部２７に書き込む。
【００６８】
次いで、制御部２８は、Ｓ１３１において開始された動作によって記憶部２７上に生成された元画像２７ｂに基づいた出力画像をプリンター２４によって記録媒体に印刷することを開始する（Ｓ１３２）。
【００６９】
次いで、制御部２８は、１ページ分の印刷が終了したか否かを判断する（Ｓ１３３）。
【００７０】
制御部２８の出力済ページ数書込手段２８ｃは、１ページ分の印刷が終了したとＳ１３３において判断されると、記憶部２７上に記憶されているこのジョブの元画像２７ｂの出力済ページ数２７ｃを１増やす（Ｓ１３４）。
【００７１】
次いで、制御部２８のログ画像生成手段２８ｂは、記憶部２７上のこの１ページ分の元画像２７ｂに基づいて、１ページ分のログ画像の生成を開始する（Ｓ１３５）。ここで、ログ画像生成手段２８ｂは、生成したログ画像を、元画像２７ｂに関連付けられていた利用者のＩＤと同一のＩＤに関連付けて記憶部２７に書き込む。
【００７２】
次いで、制御部２８は、１ページ分のログ画像の生成が終了したか否かを判断する（Ｓ１３６）。
【００７３】
制御部２８のログ済ページ数書込手段２８ｄは、１ページ分のログ画像の生成が終了したとＳ１３６において判断されると、記憶部２７上に記憶されているこのジョブの元画像２７ｂのログ済ページ数２７ｄを１増やす（Ｓ１３７）。
【００７４】
制御部２８は、１ページ分のログ画像の生成が終了していないとＳ１３６において判断するか、Ｓ１３７の処理が終了すると、Ｓ１３１において開始された動作によって記憶部２７上に生成された元画像２７ｂの全ページ分の印刷が終了したか否かを判断する（Ｓ１３８）。
【００７５】
制御部２８は、元画像２７ｂの全ページ分の印刷が終了していないとＳ１３８において判断すると、再びＳ１３３の処理に戻る。
【００７６】
制御部２８は、１ページ分の印刷が終了していないとＳ１３３において判断すると、１ページ分のログ画像の生成が終了したか否かを判断する（Ｓ１３９）。
【００７７】
制御部２８のログ済ページ数書込手段２８ｄは、１ページ分のログ画像の生成が終了したとＳ１３９において判断されると、記憶部２７上に記憶されているこのジョブの元画像２７ｂのログ済ページ数２７ｄを１増やす（Ｓ１４０）。
【００７８】
制御部２８は、１ページ分のログ画像の生成が終了していないとＳ１３９において判断するか、Ｓ１４０の処理が終了すると、再びＳ１３３の処理に戻る。
【００７９】
制御部２８は、元画像２７ｂの全ページ分の印刷が終了したとＳ１３８において判断すると、Ｓ１３５において開始された動作によって記憶部２７上に生成された元画像２７ｂの全ページ分のログ画像の生成が終了したか否かを判断する（Ｓ１４１）。
【００８０】
制御部２８は、元画像２７ｂの全ページ分のログ画像の生成が終了していないとＳ１４１において判断すると、１ページ分のログ画像の生成が終了したと判断するまで、１ページ分のログ画像の生成が終了したか否かを判断する（Ｓ１４２）。
【００８１】
制御部２８のログ済ページ数書込手段２８ｄは、１ページ分のログ画像の生成が終了したとＳ１４２において判断されると、記憶部２７上に記憶されているこのジョブの元画像２７ｂのログ済ページ数２７ｄを１増やして（Ｓ１４３）、再びＳ１４１の処理に戻る。
【００８２】
一方、制御部２８は、元画像２７ｂの全ページ分のログ画像の生成が終了したとＳ１４１において判断すると、このジョブの元画像２７ｂを記憶部２７上から削除して（Ｓ１４４）、図５に示す動作を終了する。
【００８３】
次に、起動された場合のＭＦＰ２０の動作について説明する。
【００８４】
図６は、起動された場合のＭＦＰ２０の動作のフローチャートである。
【００８５】
ＭＦＰ２０の制御部２８は、起動されると、図６に示す動作を開始する。
【００８６】
図６に示すように、制御部２８は、記憶部２７上に元画像２７ｂが記憶されているか否かを判断する（Ｓ１６１）。ここで、図４に示すコピーのジョブの実行において元画像２７ｂが生成された後でＳ１１０の処理が実行される前にＭＦＰ２０の電源断が発生した場合には、元画像２７ｂは、記憶部２７上に記憶されたままになっている。また、図５に示すコピーのジョブの実行において元画像２７ｂが生成された後でＳ１４４の処理が実行される前にＭＦＰ２０の電源断が発生した場合には、元画像２７ｂは、記憶部２７上に記憶されたままになっている。
【００８７】
制御部２８は、記憶部２７上に元画像２７ｂが記憶されていないとＳ１６１において判断すると、図６に示す動作を終了する。
【００８８】
一方、制御部２８のログ画像生成手段２８ｂは、記憶部２７上に元画像２７ｂが記憶されているとＳ１６１において判断されると、記憶部２７上のこの元画像２７ｂのうち出力済ページからログ済ページを除いたページ分の元画像、すなわち、この元画像２７ｂの出力済ページ数２７ｃに応じた出力済ページから、この元画像２７ｂのログ済ページ数２７ｄに応じたログ済ページを除いたページの分の元画像に基づいて、出力済ページからログ済ページを除いたページ分のログ画像を生成する（Ｓ１６２）。ここで、ログ画像生成手段２８ｂは、生成したログ画像を、元画像２７ｂに関連付けられていた利用者のＩＤと同一のＩＤに関連付けて記憶部２７に書き込む。
【００８９】
次いで、制御部２８は、この元画像２７ｂを記憶部２７上から削除して（Ｓ１６３）、図６に示す動作を終了する。
【００９０】
なお、図４に示す処理、図５に示す処理または図６に示す処理において生成されたログ画像と、このログ画像に関連付けられている利用者のＩＤとは、例えば１時間毎などの所定のタイミングで、ＭＦＰ２０の制御部２８のログ画像送信手段２８ｆによってネットワーク１１経由でログ画像記憶サーバー３０に送信される。
【００９１】
そして、ログ画像記憶サーバー３０の制御部３５がネットワーク１１経由でログ画像と、このログ画像に関連付けられている利用者のＩＤとを受信すると、制御部３５のログ画像書込手段３５ａは、受信したログ画像をログ画像３４ｂとして記憶部３４に書き込むとともに、受信した利用者のＩＤをこのログ画像３４ｂに関連付けて記憶部３４に書き込む。
【００９２】
なお、以上においては、出力画像の出力の例としてコピーのジョブについて説明している。しかしながら、ＭＦＰ２０がコンピューター４０から受信した印刷データに基づいてプリンター２４によって出力画像を印刷によって出力するプリントのジョブなど、コピーのジョブ以外のジョブによって出力画像を印刷によって出力する場合も同様である。また、ＭＦＰ２０がファックス通信部２５によって画像をファックス送信によって出力するファックス送信のジョブ、ＭＦＰ２０がネットワーク通信部２６によって画像をネットワーク１１を介した電子的な送信によって出力する送信のジョブなど、出力画像を印刷以外の方法によって出力するジョブの場合も同様である。
【００９３】
以上に説明したように、画像出力システム１０のＭＦＰ２０は、起動された場合に、記憶部２７に出力画像の元画像２７ｂが記憶されているとき（Ｓ１６１でＹＥＳ）、記憶部２７に記憶されている元画像２７ｂに基づいてログ画像を生成するので、図４に示す処理または図５に示す処理において画像が出力された後でログ画像の生成の終了前に電源断が発生した場合であっても、電源の回復後にログ画像を生成する（Ｓ１６２）ことができる。
【００９４】
画像出力システム１０は、ＭＦＰ２０の電源の回復後に生成されたログ画像をログ画像記憶サーバー３０がＭＦＰ２０から受信して記憶するので、ＭＦＰ２０の利用者の出力画像のログ画像を、ログ画像記憶サーバー３０を使用する管理者によって従来より正確に把握させることができる。したがって、例えば出力画像によって情報漏洩があった場合であっても、管理者は、漏洩元である利用者をログ画像記憶サーバー３０上のログ画像３４ｂに関連付けられている利用者のＩＤに基づいて従来より正確に特定することができる。
【００９５】
ＭＦＰ２０は、起動された場合に、記憶部２７に出力画像の元画像２７ｂが記憶されているとき（Ｓ１６１でＹＥＳ）、出力画像の元画像２７ｂのうち出力済ページからログ済ページを除いたページの元画像２７ｂに基づいて必要なログ画像のみを生成する（Ｓ１６２）ので、出力画像の元画像２７ｂのうちログ済ページも含めた元画像２７ｂに基づいてログ画像を生成する構成と比較して、ログ画像の生成の処理の負担を軽減することができる。例えば、記憶部２７に記憶されている元画像２７ｂのページ数、出力済ページ数２７ｃ、ログ済ページ数２７ｄがそれぞれ５、３、２である場合、ＭＦＰ２０は、５ページ分の元画像２７ｂのうち３ページ分の出力済ページから２ページ分のログ済ページを除いたページ、すなわち、３ページ目の元画像２７ｂに基づいて３ページ目のログ画像のみを生成する。
【００９６】
なお、ＭＦＰ２０は、起動された場合に、記憶部２７に出力画像の元画像２７ｂが記憶されているとき、出力画像の元画像２７ｂのうちログ済ページも含めた元画像２７ｂに基づいてログ画像を生成するようになっていても良い。例えば、記憶部２７に記憶されている元画像２７ｂのページ数、出力済ページ数２７ｃがそれぞれ５、３である場合、ＭＦＰ２０は、ログ済ページ数２７ｄに関わらず、５ページ分の元画像２７ｂのうち出力済ページに相当する３ページ分のページ、すなわち、１ページ目から３ページ目までの元画像２７ｂに基づいて１ページ目から３ページ目までのログ画像を生成するようになっていても良い。
【００９７】
ＭＦＰ２０は、起動された場合に、記憶部２７に出力画像の元画像２７ｂが記憶されているとき（Ｓ１６１でＹＥＳ）、出力画像の元画像２７ｂのうち出力済ページの元画像２７ｂに基づいてログ画像を生成する（Ｓ１６２）ので、出力画像の元画像２７ｂのうち出力済ページ以外のページも含めた元画像２７ｂに基づいてログ画像を生成する構成と比較して、実際の出力画像と、ログ画像との整合性を向上することができる。
【００９８】
なお、ＭＦＰ２０は、起動された場合に、記憶部２７に出力画像の元画像２７ｂが記憶されているとき、出力画像の元画像２７ｂのうち出力済ページ以外のページも含めた元画像２７ｂに基づいてログ画像を生成するようになっていても良い。例えば、記憶部２７に記憶されている元画像２７ｂのページ数が５である場合、ＭＦＰ２０は、出力済ページ数２７ｃおよびログ済ページ数２７ｄに関わらず、５ページ分の元画像２７ｂに基づいて１ページ目から５ページ目までのログ画像を生成するようになっていても良い。
【００９９】
ＭＦＰ２０は、本実施の形態において、ログ画像生成手段２８ｂによって生成されたログ画像を、記憶部２７に一旦記憶させた後で、ログ画像送信手段２８ｆによってログ画像記憶サーバー３０に送信するようになっている。しかしながら、ＭＦＰ２０は、ログ画像生成手段２８ｂによって生成されたログ画像を、記憶部２７に記憶させることなく、ログ画像送信手段２８ｆによってログ画像記憶サーバー３０に送信するようになっていても良い。
【０１００】
画像出力システム１０は、本実施の形態において本発明の画像出力装置としてＭＦＰを備えているが、プリンター専用機、コピー専用機、ＦＡＸ専用機など、ＭＦＰ以外の画像形成装置を備えていても良い。
【符号の説明】
【０１０１】
１０  画像出力システム
２０  ＭＦＰ（画像出力装置）
２４  プリンター（画像出力部）
２５  ファックス通信部（画像出力部）
２６  ネットワーク通信部（画像出力部）
２７  記憶部（不揮発性記憶部）
２７ａ  画像出力プログラム
２７ｂ  元画像
２７ｃ  出力済ページ数
２７ｄ  ログ済ページ数
２８ａ  元画像生成手段
２８ｂ  ログ画像生成手段
２８ｃ  出力済ページ数書込手段
２８ｄ  ログ済ページ数書込手段
２８ｆ  ログ画像送信手段
３０  ログ画像記憶サーバー
３４  記憶部（ログ画像記憶装置）
３４ｂ  ログ画像
３５ａ  ログ画像書込手段
【図１】
2014110524.tif 000003
【図２】
2014110524.tif 000004
【図３】
2014110524.tif 000005
【図４】
2014110524.tif 000006
【図５】
2014110524.tif 000007
【図６】
2014110524.tif 000008